(57)【要約】【課題】製造コストを抑えつつ、画像の変化に迅速に対応すること。【解決手段】表示装置２００は、汎用的なセグメントドライバ２２０を利用して、画像データに対応する１つ以上の第１の電極を選択し、選択対象・非選択対象の第１の電極にそれぞれ所定の電圧を印加する。また、ドライバ制御回路２９０が、パルス極性制御信号に応じて反転した画像データまたは反転していない画像データを、セグメントドライバ２３０に出力する。そして、セグメントドライバ２３０は、ドライバ制御回路２９０から取得した画像データを基にして、第２の電極に電圧を印加する。【選択図】図２
2011075680.tif 000002
【特許請求の範囲】
【請求項１】
基板上に配列された複数の第１の電極および当該第１の電極と異なる方向に配列された複数の第２の電極に電圧を印加され、前記第１の電極と第２の電極が交差する領域の電圧に応じて液晶の状態を変更する表示素子と、
前記第１の電極および第２の電極に正極性の電圧を印加するのか負極性の電圧を印加するのかを示す極性データと前記表示素子に表示する画像データとを取得し、前記極性データに基づいて、反転させた画像データまたは反転させていない画像データを出力する反転部と、
前記画像データの表示される領域に対応した１つ以上の前記第１の電極を選択し、選択した第１の電極に、前記極性データに基づいて、正極性の電圧または負極性の電圧を印加する第１の印加部と、
前記極性データと前記反転部から出力される画像データとを基にして、各第２の電極に正極性の電圧または負極性の電圧を印加する第２の印加部と
を備えたことを特徴とするパネルモジュール。
【請求項２】
前記反転部は、前記第１の電極および第２の電極に負極性の電圧を印加される場合に、前記画像データを反転することを特徴とする請求項１に記載のパネルモジュール。
【請求項３】
表示素子の基板上に配列された複数の第１の電極および当該第１の電極と異なる方向に配列された複数の第２の電極に、正極性の電圧を印加するのか負極性の電圧を印加するのかを示す極性データと前記表示素子に表示する画像データとを取得し、前記極性データに基づいて、反転させた画像データまたは反転させていない画像データを出力する反転部と、
前記画像データの表示される領域に対応した１つ以上の前記第１の電極を選択し、選択した第１の電極に、前記極性データに基づいて、正極性の電圧または負極性の電圧を印加する第１の印加部と、
前記極性データと前記反転部から出力される画像データとを基にして、各第２の電極に正極性の電圧または負極性の電圧を印加する第２の印加部と
を備えたことを特徴とする駆動回路。
【請求項４】
基板上に配列された複数の第１の電極および当該第１の電極と異なる方向に配列された複数の第２の電極に電圧を印加され、前記第１の電極と第２の電極が交差する領域の電圧に応じて液晶の状態を変更する表示素子と、
前記第１の電極および第２の電極に正極性の電圧を印加するのか負極性の電圧を印加するのかを示す極性データと前記表示素子に表示する画像データとを出力する制御部と、
前記極性データおよび前記画像データを取得し、前記極性データに基づいて、反転させた画像データまたは反転させていない画像データを出力する反転部と、
前記画像データの表示される領域に対応した１つ以上の前記第１の電極を選択し、選択した第１の電極に、前記極性データに基づいて、正極性の電圧または負極性の電圧を印加する第１の印加部と、
前記極性データと前記反転部から出力される画像データとを基にして、各第２の電極に正極性の電圧または負極性の電圧を印加する第２の印加部と
を備えたことを特徴とする表示装置。
【請求項５】
表示素子の基板上に配列された複数の第１の電極に電圧を印加する第１のドライバと、前記第１の電極と異なる方向に配列された複数の第２の電極に電圧を印加する第２のドライバとを有するコンピュータに、
前記第１の電極および前記第２の電極に、正極性の電圧を印加するのか負極性の電圧を印加するのかを示す極性データと前記表示素子に表示する画像データとを取得し、前記極性データに基づいて、反転させた画像データまたは反転させていない画像データを出力する反転手順と、
前記画像データの表示される領域に対応した１つ以上の前記第１の電極を選択し、選択した第１の電極に、前記極性データに基づいて、正極性の電圧または負極性の電圧を印加する旨の情報を前記第１のドライバに出力する第１のドライバ制御手順と、
前記極性データと前記反転手順の処理結果から出力される画像データとを基にして、各第２の電極に正極性の電圧または負極性の電圧を印加する旨の情報を前記第２のドライバに通知する第２のドライバ制御手順と
を実行させることを特徴とする制御プログラム。
【発明の詳細な説明】
【技術分野】
【０００１】
本発明は、パネルモジュール等に関する。
【背景技術】
【０００２】
近年、コレステリック液晶（または、カイラルネマティック液晶と称される）を用いた表示装置の開発が進められている。図２３は、コレステリック液晶の構成を示す図である。図２３に示すように、コレステリック液晶は、２つの基板に挟まれる。各基板には、マトリクス状に電極が配列される。各基板とコレステリック液晶とをあわせて、表示素子と表記する。表示装置が、表示素子に印加する電圧を調整することで、コレステリック液晶の状態が変化する。コレスティック液晶の状態は、印加される電圧により、プレーナ状態、フォーカルニック状態または中間状態となる。
【０００３】
プレーナ状態のコレステリック液晶は、特定の波長の光を反射する。フォーカルニック状態のコレステリック液晶は、光を透過させる。中間状態のコレステリック液晶は、プレーナ状態とフォーカルニック状態との中間の状態となる。なお、コレステリック液晶はカイラル材を含み、このカイラル材の含有率を予め調整しておくと、プレーナ状態で反射する光の波長を調整することができる。このため、自然光などの光が入射した場合に、コレステリック液晶は、青、緑、赤などの任意の光を反射することができる。
【０００４】
表示装置がカラー画像を表示する場合には、自然光などの光が入射した際に、異なる波長の光を反射する複数の表示素子を利用する。図２４は、表示装置によるカラー画像の表示原理を説明するための図である。図２４に示すように、表示装置は、ＲＧＢ（Red  Green  Blue）に対応した各表示素子１０〜１２を積層する。このうち、表示素子１０は、プレーナ状態で青色を反射するコレステリック液晶を有する。表示素子１１は、プレーナ状態で緑色を反射するコレステリック液晶を有する。表示素子１２は、プレーナ状態で赤色を反射するコレステリック液晶を有する。表示装置は、表示素子１０〜１２の電極に印加する電圧を調整することで反射させる光を調整し、表示面にカラー画像を表示させる。
【０００５】
コレステリック液晶は、半永久的な表示保持特性を有しており、表示素子に電圧を印加してコレステリック液晶の分子の状態を変化させると、継続して電圧を印加しなくても分子の状態を保つことができる。このため、表示素子は、電圧が印加されていない状態でも画像や文字等を表示し続けることができるので、電子ペーパ等の技術に応用されている。
【０００６】
従来、表示装置が表示素子に電圧を印加する場合には、一般的に、コモンドライバとセグメントドライバとを利用していた。図２５は、従来のコモンドライバとセグメントドライバとを説明するための図である。図２５において、表示素子２０ｃは、基板上に複数の第１の電極と複数の第２の電極とを有する。第１の電極と第２の電極はそれぞれ異なる方向に配列されている。例えば、第１の電極は、表示素子２０ｃの水平方向に配列され、第２の電極は、表示素子２０ｃの垂直方向に配列される。コモンドライバ２０ａは、第１の電極に接続され、セグメントドライバ２０ｂは、第２の電極に接続される。
【０００７】
コモンドライバ２０ａは、選択ラインデータに基づいて、選択対象となる第１の電極を選択し、選択対象となる第１の電極に所定の電圧を印加する。コモンドライバ２０ａは、選択対象となる第１の電極を１電極ずつ順番に切り替える。
【０００８】
セグメントドライバ２０ｂは、画像データに対応した電圧を各第２の電極に印加することで、コモンドライバ２０ａにより選択された第１の電極上の表示領域に画像を表示させる。図２５に示す例では、左の図から順に、コモンドライバ２０ａが、選択ラインデータに基づいて１〜３段目の第１の電極を選択し、セグメントドライバ２０ｂが、画像データに対応した電圧を順に印加する。その結果、表示素子２０ｃにおいて、各第１の電極上の各表示領域のうち、１〜３段目の表示領域の順に画像が画像データに合わせて更新される。図２５では省略するが、残りの表示領域も画像データに合わせて順に更新される。
【０００９】
ところで、コレステリック液晶は、分子の状態が変化する速度が通常の液晶よりも遅いため、コモンドライバが第１の電極を１電極ずつ選択して電圧を印加し、順に画像データを表示させる方法では、画像の変化に迅速に対応することができなかった。このため、複数の第１の電極を同時に選択可能する専用ドライバや、コレステリック液晶の左右に櫛歯状に電極を配置する櫛歯電極などを表示装置に組み込む技術が開発されている。
【００１０】
ここでは一例として、専用ドライバを備えた表示装置について説明する。図２６は、専用ドライバを備えた表示装置の一例を示す図である。図２６に示すように、専用ドライバ３０ａが、コモンドライバの代わりに表示素子の第１の電極に接続されている。専用ドライバ３０ａが、複数の第１の電極を同時に選択し電圧を印加し、セグメントドライバ３０ｂが画像データに対応した電圧を同時に各第２の電極に印加する。このように、専用ドライバ３０ａ等を表示装置に組み込むことで、複数の第１の電極を同時に選択でき、一つずつ第１の電極を選択して表示する場合に比べて、画像の変化に迅速に対応することができる。
【先行技術文献】
【特許文献】
【００１１】
【特許文献１】特開２００８−３３３３８号公報
【発明の概要】
【発明が解決しようとする課題】
【００１２】
しかしながら、複数のラインを同時に選択するべく、専用ドライバや櫛歯電極を新たに表示装置に組み込むと、表示装置の製造コストが高くなってしまうという問題があった。
【００１３】
開示の技術は、上記に鑑みてなされたものであって、表示装置の製造コストを抑えつつ、画像の変化に迅速に対応することができるパネルモジュール、駆動回路、表示装置および制御プログラムを提供することを目的とする。
【課題を解決するための手段】
【００１４】
本願の開示するパネルモジュールは、一つの態様において、基板上に配列された複数の第１の電極および当該第１の電極と異なる方向に配列された複数の第２の電極に電圧を印加され、前記第１の電極と第２の電極が交差する領域の電圧に応じて液晶の状態を変更する表示素子と、前記第１の電極および第２の電極に正極性の電圧を印加するのか負極性の電圧を印加するのかを示す極性データと前記表示素子に表示する画像データとを取得し、前記極性データに基づいて、反転させた画像データまたは反転させていない画像データを出力する反転部と、前記画像データの表示される領域に対応した１つ以上の前記第１の電極を選択し、選択した第１の電極に、前記極性データに基づいて、正極性の電圧または負極性の電圧を印加する第１の印加部と、前記極性データと前記反転部から出力される画像データとを基にして、各第２の電極に正極性の電圧または負極性の電圧を印加する第２の印加部とを備えたことを要件とする。
【発明の効果】
【００１５】
本願の開示するパネルモジュールの一つの態様によれば、製造コストを抑えつつ、画像の変化に迅速に対応することができるという効果を奏する。
【図面の簡単な説明】
【００１６】
【図１】図１は、本実施例１にかかるパネルモジュールの構成を示す図である。
【図２】図２は、本実施例２にかかる表示装置の構成を示す図である。
【図３】図３は、第１の電極に接続するセグメントドライバの構成を示す図である。
【図４】図４は、第２の電極に接続するセグメントドライバの構成を示す図である。
【図５】図５は、多電圧生成部の構成を示す図（１）である。
【図６】図６は、第１の電圧変換テーブルのデータ構造の一例を示す図（１）である。
【図７】図７は、第２の電圧変換テーブルのデータ構造の一例を示す図（１）である。
【図８】図８は、正極性の電圧を印加する場合の交差領域の電圧を説明するための図である。
【図９】図９は、負極性の電圧を印加する場合の交差領域の電圧を説明するための図である。
【図１０】図１０は、表示素子に印加される正極性の電圧の分布の一例を示す図である。
【図１１】図１１は、表示素子に印加される負極性の電圧の分布の一例を示す図である。
【図１２】図１２は、電圧変換部および出力ドライバの構成を示す図である。
【図１３】図１３は、本実施例２にかかる表示装置の駆動タイミングを説明するための図である。
【図１４】図１４は、ドライバ制御回路の処理手順を示すフローチャートである。
【図１５】図１５は、前提となる表示装置の構成を示す図である。
【図１６】図１６は、コモンドライバの構成を示す図である。
【図１７】図１７は、セグメントドライバの構成を示す図である。
【図１８】図１８は、多電圧生成部の構成を示す図（２）である。
【図１９】図１９は、第１の電圧変換テーブルのデータ構造の一例を示す図（２）である。
【図２０】図２０は、第２の電圧変換テーブルのデータ構造の一例を示す図（２）である。
【図２１】図２１は、各ドライバが出力する電圧の波形を示す図である。
【図２２】図２２は、表示素子に印加される電圧を説明するための図である。
【図２３】図２３は、コレステリック液晶の構成を示す図である。
【図２４】図２４は、表示装置によるカラー画像の表示原理を説明するための図である。
【図２５】図２５は、従来のコモンドライバとセグメントドライバとを説明するための図である。
【図２６】図２６は、専用ドライバを備えた表示装置の一例を示す図である。
【発明を実施するための形態】
【００１７】
以下に、本願の開示するパネルモジュール、駆動回路、表示装置および制御プログラムの実施例を図面に基づいて詳細に説明する。なお、この実施例によりこの発明が限定されるものではない。
【実施例１】
【００１８】
本実施例１にかかるパネルモジュールについて説明する。図１は、本実施例１にかかるパネルモジュールの構成を示す図である。図１に示すように、このパネルモジュール１００は、表示素子１１０、反転部１２０、第１の印加部１３０、第２の印加部１４０を有する。
【００１９】
表示素子１１０は、基板上に配列された複数の第１の電極および第１の電極と異なる方向に配列された複数の第２の電極に電圧を印加され、第１の電極と第２の電極が交差する領域の電圧に応じて液晶の状態を変更する。
【００２０】
反転部１２０は、第１の電極および第２の電極に正極性の電圧を印加するのか負極性の電圧を印加するのかを示す極性データと表示素子１１０に表示する画像データとを取得する。反転部１２０は、極性データに基づいて、反転させた画像データまたは反転させていない画像データを出力する。
【００２１】
第１の印加部１３０は、画像データの表示される領域に対応した１つ以上の第１の電極を選択し、選択した第１の電極に、極性データに基づいて、正極性の電圧または負極性の電圧を印加する。
【００２２】
第２の印加部１４０は、極性データと反転部１２０から出力される画像データとを基にして、各第２の電極に正極性の電圧または負極性の電圧を印加する。
【００２３】
上記のパネルモジュール１００は、極性データに基づいて反転した画像データまたは反転させていない画像データを出力することで、同種の印加部となる第１の印加部１３０および第２の印加部１４０を用いることを可能としている。また、第１の印加部１３０は、画像データの表示される領域に対応した１つ以上の第１の電極を選択する。したがって、本実施例１にかかるパネルモジュール１００は、製造コストを抑えつつ、画像の変化に迅速に対応することができる。
【実施例２】
【００２４】
次に、本実施例２にかかる表示装置について説明する。図２は、本実施例２にかかる表示装置の構成を示す図である。図２に示すように、この表示装置２００は、表示素子２１０、セグメントドライバ２２０，２３０、電源２４０、昇圧部２５０、多電圧生成部２６０、クロック２７０、制御回路２８０およびドライバ制御回路２９０を有する。
【００２５】
表示素子２１０は、コレステリック液晶を基板で挟んだ素子である。表示素子の基板は、マトリクス状に複数の電極を配列している。基板に配置された電極に電圧を印加することで、コレステリック液晶に電圧が伝わり、コレステリック液晶の分子の状態を調整することができる。以下の説明において、基板に配置された水平方向の電極を第１の電極と表記し、垂直方向の電極を第２の電極と表記する。
【００２６】
セグメントドライバ２２０は、表示素子２１０の各第１の電極に接続されており、ドライバ制御回路２９０から出力される信号に基づいて、画像データに対応する一つ以上の第１の電極を選択する回路である。セグメントドライバ２２０は、選択対象となる第１の電極に所定の電圧を印加する。セグメントドライバ２２０は、選択対象以外の第１の電極に対して、選択対象の第１の電極とは異なる電圧を印加する。
【００２７】
セグメントドライバ２３０は、表示素子２１０の各第２の電極に接続されており、ドライバ制御回路５８から出力される信号に基づいて、各第２の電極に電圧を印加する回路である。セグメントドライバ２３０が各第２の電極に電圧を印加することで、選択対象の第１の電極上の領域に、画像データに対応した画像が表示される。なお、セグメントドライバ２２０，２３０は、同種のドライバである。
【００２８】
電源２４０は、所定の電圧を昇圧部２５０、クロック２７０、ドライバ制御回路２９０に出力する回路である。例えば、電源２４０は、３〜５Ｖの電圧を出力する。昇圧部２５０は、電源２４０から出力される電圧を大きくし、大きくした電圧を多電圧生成部２６０に出力する回路である。
【００２９】
多電圧生成部２６０は、昇圧部２６０から出力される電圧から、各種の電圧を生成する回路である。多電圧生成部２６０は、各種の電圧をセグメントドライバ２２０，２３０に出力する。クロック２７０は、クロック信号をドライバ制御回路２９０に出力する回路である。
【００３０】
制御回路２８０は、各種の制御信号をドライバ制御回路２９０に出力する回路である。ここでは一例として、制御回路２８０はライン信号と画像データとをドライバ制御回路２９０に出力する。
【００３１】
ライン信号は、各第１の電極のうち、選択対象となる第１の電極を識別する情報を有する。ライン信号は、１または０の数字を、第１の電極の数だけ配列した情報を含む。ライン信号に含まれる１の位置が、選択対象の第１の電極の位置となる。例えば、ライン信号の先頭からｎ番目とｍ番目の数字が１の場合には、各第１の電極のうち、初段目からｎ段目の第１の電極と、ｍ段目の電極が選択対象となる。
【００３２】
画像データは、全画像のうち、一行分の画像のデータに対応する。例えば、この画像データは、１または０の数字を、第２の電極の数だけ配列した情報を含む。
【００３３】
ドライバ制御回路２９０は、各種の信号をセグメントドライバ２２０，２３０に出力することで、表示素子２１０に印加する電圧を制御する回路である。具体的に、ドライバ制御回路２９０は、データ取込クロック、ライン信号、データラッチ信号、パルス極性制御信号、強制オフ信号をセグメントドライバ２２０に出力する。また、ドライバ制御回路２９０は、データ取込クロック、データラッチ信号、パルス極性制御信号、強制オフ信号および画像データをセグメントドライバ２３０に出力する。
【００３４】
このうち、データ取込クロックは、セグメントドライバ２２０，２３０に、データを取り込むタイミングを通知する信号である。データラッチ信号は、セグメントドライバ２２０，２３０にデータの格納位置を移動するタイミングを通知する信号である。
【００３５】
パルス極性制御信号は、正極性の電圧を印加するのか負極性の電圧を印加するのかを識別する信号である。具体的に、正極性の電圧を印加する場合には、セグメントドライバ２２０にパルス極性制御信号として「１」を出力し、セグメントドライバ２３０にパルス極性制御信号として「０」を出力する。
【００３６】
一方、負極性の電圧を印加する場合には、セグメントドライバ２２０にパルス極性制御信号として「１」を出力し、セグメントドライバ２３０にパルス極性制御信号として「１」を出力する。このように、セグメントドライバ２２０，２３０に出力するパルス極性制御信号の組合せにより、正極性の電圧を印加するのか、負極性の電圧を印加するのかが決定する。
【００３７】
ドライバ制御回路２９０は、例えば、正極性の電圧と負極性の電圧が交互に表示素子２１０に印加されるように、パルス極性制御信号をセグメントドライバ２２０，２３０に出力する。このパルス極性制御信号により、電圧の極性を切り替えることで、表示素子２１０に含まれるイオンが偏ることを防止する。
【００３８】
強制オフ信号は、セグメントドライバ２２０，２３０が印加する電圧を強制的に停止させる信号である。
【００３９】
図２に示したセグメントドライバ２２０の構成について説明する。図３は、第１の電極に接続するセグメントドライバの構成を示す図である。図３に示すように、セグメントドライバ２２０は、データレジスタ２２１、ラッチレジスタ２２２、電圧変換部２２３、出力ドライバ２２４を有する。
【００４０】
データレジスタ２２１は、データ取込クロックに合わせてライン信号を取得し、取得したライン信号を記憶する回路である。データレジスタ２２１は、ライン信号を新たに取得するたびに、自身の記憶するライン信号を新たなライン信号で更新する。
【００４１】
ラッチレジスタ２２２は、データラッチ信号を取得したタイミングにあわせて、データレジスタ２２１に記憶されたライン信号を記憶する回路である。データラッチ信号を取得するたびに、ラッチレジスタ２２２は、自身の記憶するライン信号を、データレジスタ２２１に記憶されたライン信号で更新する。
【００４２】
電圧変換部２２３は、ラッチレジスタ２２２に記憶されたライン信号を基にして、表示素子２１０の各第１の電極のうち、選択対象となる第１の電極を選択する回路である。電圧変換部２２３は、ラッチレジスタ２２２が記憶するライン信号のビット列を参照し、ビット列に含まれる１の位置を判定する。そして、１の位置に基づいて、電圧変換部２２３は、選択対象となる第１の電極を選択する。例えば、電圧変換部２２３は、信号の先頭からｎ番目、ｍ番目のビットが「１」の場合に、電圧変換部２２３は、ｎ番目、ｍ番目の第１の電極を選択対象とする。
【００４３】
電圧変換部２２３は、選択対象となる第１の電極と非選択対象となる第１の電極に対応した出力ドライバ２２４の位置に、印加する電圧を通知する。なお、電圧変換部２２３は、パルス極性制御信号に応じて、選択対象となる第１の電極と非選択対象となる第１の電極に印加する電圧の極性を正極性または負極性に切り替える。電圧変換部２２３が出力ドライバ２２４に通知する具体的な電圧の値は後述する。
【００４４】
出力ドライバ２２４は、表示素子２１０の各第１の電極に接続し、電圧変換部２２３から通知された情報により、各第１の電極に該当する電圧を印加する回路である。出力ドライバ２２４が印加する電圧は、多電圧生成部２６０から供給される。
【００４５】
次に、図２に示したセグメントドライバ２３０の構成について説明する。図４は、第２の電極に接続するセグメントドライバの構成を示す図である。図４に示すように、セグメントドライバ２３０は、データレジスタ２３１、ラッチレジスタ２３２、電圧変換部２３３、出力ドライバ２３４を有する。
【００４６】
データレジスタ２３１は、データ取込クロックにあわせて画像データを取得し、取得した画像データを記憶する回路である。データレジスタ２３２は、画像データを新たに取得するたびに、自身の記憶する画像データを新たな画像データで更新する。
【００４７】
ラッチレジスタ２３２は、データラッチ信号を取得したタイミングにあわせて、データレジスタ２３１に記憶された画像データを記憶する回路である。データラッチ信号を取得するたびに、ラッチレジスタ２３２は、自身の記憶する画像データを、データレジスタ２３１に記憶された画像データで更新する。
【００４８】
電圧変換部２３３は、ラッチレジスタ２３２に記憶された画像データを基にして、各第２の電極に印加する電圧を出力ドライバ２３４に通知する回路である。画像データは、１または０の情報を、第２の電極の数だけ有しており、画像データのｎ番目の情報が、ｎ列目の第２の電極に対応している。電圧変換部２３３は、ｎ列目の第２の電極に対応した出力ドライバ２３４の位置に、画像データのｎ番目の情報に対応した電圧を通知する。なお、電圧変換部２３３は、パルス極性制御信号に応じて、印加する電圧の極性を正極性または負極性に切り替える。電圧変換部２３３が出力ドライバ２３４に通知する具体的な電圧の値は後述する。
【００４９】
出力ドライバ２３４は、表示素子５１の各第２の電極に接続し、電圧変換部７２から通知された情報により、各第２の電極に該当する電圧を印加する回路である。出力ドライバ２３４が印加する電圧は、多電圧生成部２６０から供給される。
【００５０】
次に、図２に示した多電圧生成部２６０の構成について説明する。図５は、多電圧生成部２６０の構成を示す図である。図５に示すように、この多電圧生成部２６０は、抵抗２６０ａ〜２６０ｅと、増幅器２６０ｆ〜２６０ｊを有する。多電圧生成部２６０のリファレンス電圧は、昇圧部２５０から出力される電圧に対応する。抵抗２６０ａ〜２６０ｅは、電気抵抗である。
【００５１】
増幅器２６０ｆは、抵抗２６０ａを介してリファレンス電圧を取得し、取得した電圧を増幅して３６Ｖの電圧を出力する回路である。増幅器２６０ｆが出力する電圧をＶ０Ｒとする。増幅器２６０ｇは、抵抗２６０ａ，２６０ｂを介してリファレンス電圧を取得し、取得した電圧を増幅して２４Ｖの電圧を出力する回路である。増幅器２６０ｇが出力する電圧をＶ０Ｃとする。
【００５２】
増幅器２６０ｈは、抵抗２６０ａ〜２６０ｃを介してリファレンス電圧を取得し、取得した電圧を増幅して１８Ｖの電圧を出力する回路である。増幅器２６０ｈが出力する電圧をＶ２１Ｒとする。増幅器２６０ｉは、抵抗２６０ａ〜２６０ｃを介してリファレンス電圧を取得し、取得した電圧を増幅して１８Ｖの電圧を出力する回路である。増幅器２６０ｉが出力する電圧をＶ３４Ｒとする。
【００５３】
増幅器２６０ｊは、抵抗２６０ａ〜２６０ｄを介してリファレンス電圧を取得し、取得した電圧を増幅して１２Ｖの電圧を出力する回路である。増幅器２６０ｊが出力する電圧をＶ２１Ｃとする。なお、アースに接続された電圧をＶ３４Ｒとする。電圧Ｖ３４Ｃは、アースに接続されるため、０Ｖとなる。
【００５４】
なお、図５において、Ｖ０Ｒ≧Ｖ２１Ｒ≧Ｖ３４Ｒ≧０Ｖの関係が保たれている。また、Ｖ０Ｃ≧２１Ｃ≧Ｖ３４Ｒ≧０Ｖの関係が保たれている。
【００５５】
次に、図３に示した電圧変換部２３３が出力ドライバ２３４に通知する電圧について説明する。例えば、電圧変換部２３３は、第１の電圧変換テーブルを保持する。電圧変換部２３３は、かかる第１の電圧変換テーブルに対応させて、各第１の電極に印加する電圧を判定する。図６は、第１の電圧変換テーブルのデータ構造の一例を示す図である。図６に示すように、この第１の電圧変換テーブルは、データ信号と、ＦＲと、出力電圧とを対応付ける。
【００５６】
このうち、データ信号は、選択対象の第１の電極か否かを識別する情報である。データ信号が「１」の場合には、選択対象の第１の電極であり、データ信号が「０」の場合には、非選択対象の第１の電極となる。
【００５７】
ＦＲは、第１の電極に印加する電圧が正極性であるか負極性であるかを識別する情報である。ＦＲが「０」の場合には、第１の電極に正極性の電圧を印加し、ＦＲが「１」の場合には、第１の電極に負極性の電圧を印加する。
【００５８】
出力電圧は、出力ドライバ２２４から出力する電圧を識別する情報である。出力電圧Ｖ０Ｒ、Ｖ２１Ｒ、Ｖ３４Ｒは、図５に示した増幅器２６０ｆ、２６０ｈ、２６０ｉから出力される電圧に対応する。具体的に、Ｖ０Ｒは３６Ｖ、Ｖ２１Ｒは１８Ｖ、Ｖ３４Ｒは１８Ｖとなる。なお、出力電圧Ｖ５は、０Ｖとする。
【００５９】
選択対象の第１の電極に正極性の電圧を印加する場合には、図６において、データ信号「１」、ＦＲ「０」となり、この組合せに対応する出力電圧は「Ｖ５」となる。出力電圧Ｖ５は０Ｖに対応する。したがって、電圧変換部２２３は、選択対象の第１の電極に印加する電圧を「０Ｖ」と判定し、判定結果を出力ドライバ２２４に出力する。
【００６０】
選択対象の第１の電極に負極性の電圧を印加する場合には、図６において、データ信号「１」、ＦＲ「１」となり、この組合せに対応する出力電圧は「Ｖ０Ｒ」となる。出力電圧Ｖ０Ｒは、３６Ｖに対応する。したがって、電圧変換部２２３は、選択対象の第１の電極に印加する電圧を「３６Ｖ」と判定し、判定結果を出力ドライバ２２４に出力する。
【００６１】
非選択対象の第１の電極に正極性の電圧を印加する場合には、図６において、データ信号「０」、ＦＲ「０」となり、この組合せに対応する出力電圧は「Ｖ３４Ｒ」となる。出力電圧Ｖ３４Ｒは、１８Ｖに対応する。したがって、電圧変換部２２３は、非選択対象の第１の電極に印加する電圧を「１８Ｖ」と判定し、判定結果を出力ドライバ２２４に出力する。
【００６２】
非選択対象の第１のドライバに負極性の電圧を印加する場合には、図６において、データ信号「０」、ＦＲ「１」となり、この組合せに対応する出力電圧は「Ｖ２１Ｒ」となる。出力電圧Ｖ２４Ｒは、１８Ｖに対応する。したがって、電圧変換部２２３は、非選択対象の第１の電極に印加する電圧を「１８Ｖ」と判定し、判定結果を出力ドライバ２２４に出力する。
【００６３】
次に、図４に示した電圧変換部２３３が出力ドライバ２３４に通知する電圧について説明する。例えば、電圧変換部２３３は、第２の電圧変換テーブルを保持する。電圧変換部２３３は、かかる第２の電圧変換テーブルに対応させて、各第２の電極に印加する電圧を判定する。図７は、第２の電圧変換テーブルのデータ構造の一例を示す図である。図７に示すように、この第２の電圧変換テーブルは、データ信号と、ＦＲと、出力電圧とを対応付ける。
【００６４】
このうち、データ信号は、画像データが含むビット列の各数字に対応する。ＦＲは、第２の電極に印加する電圧が正極性であるか負極性であるかを識別する情報である。なお、本実施例２の第２の電圧変換テーブルは、印加する電圧の極性に限らず、ＦＲの値は「１」で固定される。すなわち、正極性の電圧を印加する場合でも、負極性の電圧を印加する場合でも、ＦＲ＝１とする。
【００６５】
出力電圧は、出力ドライバ２３４から出力する電圧を識別する情報である。出力電圧Ｖ０Ｃ、Ｖ２１Ｃは、図５に示した増幅器２６０ｇ、２６０ｊから出力される電圧に対応する。具体的に、Ｖ０Ｃは２４Ｖ、Ｖ２１Ｃは１２Ｖとなる。
【００６６】
以下において、ｎ列目の第２の電極に印加する電圧を判定する場合について説明する。画像データのｎ番目のビットが「１」で、正極性（あるいは、負極性）の電圧を印加する場合には、図７において、データ信号「１」、ＦＲ「１」となる。この組合せに対応する出力電圧は「Ｖ０Ｃ」となる。出力電圧Ｖ０は、２４Ｖに対応する。電圧変換部２３３は、ｎ列目の第２の電極に印加する電圧を「２４Ｖ」と判定し、判定結果を出力ドライバ２３４に出力する。
【００６７】
画像データのｎ番目のビットが「０」で、正極性（あるいは、負極性）の電圧を印加する場合には、図７において、データ信号「０」、ＦＲ「１」となる。この組合せに対応する出力電圧は「Ｖ２１Ｃ」となる。出力電圧Ｖ２１Ｃは、１２Ｖに対応する。電圧変換部２３３は、ｎ列目の第２の電極に印加する電圧を「１２Ｖ」と判定し、判定結果を出力ドライバ２３４に出力する。
【００６８】
次に、表示素子２１０に印加される電圧について説明する。ここでは一例として、セグメントドライバ２３０が第２の電極に印加した電圧から、セグメントドライバ２２０が第１の電極に印加した電圧を減算した電圧が、交差領域に印加されるものとする。交差領域は、第１の電極と第２の電極が交差する領域である。
【００６９】
まず、正極性の電圧を印加する場合に、セグメントドライバ２２０，２３０が「ＯＮ」または「ＯＦＦ」となった場合の交差領域の電圧について説明する。図８は、正極性の電圧を印加する場合の交差領域の電圧を説明するための図である。
【００７０】
図８の左下に示すように、セグメントドライバ２２０は、「ＯＮ」の場合には、０Ｖの電圧を第１の電極に印加し、「ＯＦＦ」の場合には、１８Ｖの電圧を第１の電極に印加する。セグメントドライバ２２０が「ＯＮ」となる第１の電極は、選択対象の第１の電極となる。セグメントドライバ２２０が「ＯＦＦ」となる第１の電極は、非選択対象の第１の電極となる。
【００７１】
図８の左上に示すように、セグメントドライバ２３０は、「ＯＮ」の場合には、２４Ｖの電圧を第２の電極に印加し、「ＯＦＦ」の場合には、１２Ｖの電圧を第２の電極に印加する。セグメントドライバ２３０が「ＯＮ」となる第２の電極は、画像データの「１」に対応した電極となる。セグメントドライバ２３０が「ＯＦＦ」となる第２の電極は、画像データの「０」に対応した電極となる。
【００７２】
図８の右側に示すように、セグメントドライバ２２０がＯＮ、セグメントドライバ２３０がＯＮの場合に、正極性の電圧を印加する際、第１の電極に０Ｖ、第２の電極に２４Ｖが印加される。この結果、交差領域には２４Ｖの電圧が印加される。
【００７３】
セグメントドライバ２２０がＯＮ、セグメントドライバ２３０がＯＦＦの場合に、正極性の電圧を印加する際、第１の電極に０Ｖ、第２の電極に１２Ｖが印加される。この結果、交差領域には１２Ｖの電圧が印加される。
【００７４】
セグメントドライバ２２０がＯＦＦ、セグメントドライバ２３０がＯＮの場合に、正極性の電圧を印加する際、第１の電極に１８Ｖ、第２の電極に２４Ｖの電圧が印加される。この結果、交差領域には６Ｖの電圧が印加される。
【００７５】
セグメントドライバ２２０がＯＦＦ、セグメントドライバ２３０がＯＦＦの場合に、正極性の電圧を印加する際、第１の電極に１８Ｖ、第２の電極に１２Ｖの電圧が印加される。この結果、交差領域には−６Ｖの電圧が印加される。
【００７６】
続いて、負極性の電圧を印加する場合に、セグメントドライバ２２０，２３０が「ＯＮ」または「ＯＦＦ」となった場合の交差領域の電圧について説明する。図９は、負極性の電圧を印加する場合の交差領域の電圧を説明するための図である。
【００７７】
図９の左下に示すように、セグメントドライバ２２０は、「ＯＮ」の場合には、３６Ｖの電圧を第１の電極に印加し、「ＯＦＦ」の場合には、１８Ｖの電圧を第１の電極に印加する。セグメントドライバ２２０が「ＯＮ」となる第１の電極は、選択対象の第１の電極となる。セグメントドライバ２２０が「ＯＦＦ」となる第１の電極は、非選択対象の第１の電極となる。
【００７８】
図９の左上に示すように、セグメントドライバ２３０は、「ＯＮ」の場合には、２４Ｖの電圧を第１の電極に印加し、「ＯＦＦ」の場合には、１２Ｖの電圧を第１の電極に印加する。セグメントドライバ２３０が「ＯＮ」となる第２の電極は、画像データの「１」に対応した電極となる。セグメントドライバ２３０が「ＯＦＦ」となる第２の電極は、画像データの「０」に対応した電極となる。
【００７９】
図９の右側に示すように、セグメントドライバ２２０がＯＮ、セグメントドライバ２３０がＯＦＦの場合に、負極性の電圧を印加する際、第１の電極に３６Ｖ、第２の電極に２４Ｖが印加される。この結果、交差領域には−１２Ｖの電圧が印加される。
【００８０】
セグメントドライバ２２０がＯＮ、セグメントドライバ２３０がＯＦＦの場合に、負極性の電圧を印加する際、第１の電極に３６Ｖ、第２の電極に１２Ｖが印加される。この結果、交差領域には−２４Ｖの電圧が印加される。
【００８１】
セグメントドライバ２２０がＯＦＦ、セグメントドライバ２３０がＯＮの場合に、負極性の電圧を印加する際、第１の電極に１８Ｖ、第２の電極に２４Ｖが印加される。この結果、交差領域には６Ｖの電圧が印加される。
【００８２】
セグメントドライバ２２０がＯＦＦ、セグメントドライバ２３０がＯＦＦの場合に、負極性の電圧を印加する際、第１の電極に１８Ｖ、第２の電極に１２Ｖが印加される。この結果、交差領域には−６Ｖの電圧が印加される。
【００８３】
次に、表示素子２１０に印加される電圧の分布について説明する。図１０は、表示素子２１０に印加される正極性の電圧の分布の一例を示す図である。図１０において、選択領域は、選択対象の第１の電極に対応する表示素子２１０の領域である。非選択領域は、非選択対象の第１の電極に対応する表示素子２１０の領域である。
【００８４】
図１０に示すように、非選択領域には、−６Ｖまたは６Ｖの電圧が印加される。コレステリック液晶の状態は、−６Ｖまたは６Ｖの電圧で変化せず、それまでの状態が維持される。
【００８５】
選択領域には、１２Ｖまたは２４Ｖの電圧が印加される。コレステリック液晶の状態は、１２Ｖの電圧が印加されると光を反射するプレーナ状態となる。コレステリック液晶の状態は、２４Ｖの電圧が印加されると光を透過するフォーカルコニック状態となる。
【００８６】
図１１は、表示素子２１０に印加される負極性の電圧の分布の一例を示す図である。図１１に示すように、非選択領域には、−６Ｖまたは６Ｖの電圧が印加される。また、選択領域には、−１２Ｖまたは−２４Ｖの電圧が印加される。図１１に示す反転した画像データの元の画像データは、図１０に示した画像データと同様である。負極性の電圧を印加する場合、印加する電圧の絶対値が、正極性の電圧の絶対値と逆になる。したがって、反転した画像データに基づいてセグメントドライバ２３０が、電圧を印加することで、図１１の表示素子２１０に表示される画像は、図１０の表示素子２１０に表示される画像データと同じになる。
【００８７】
次に、図３に示した電圧変換部２２３および出力ドライバ２２４の構成について説明する。図１２は、電圧変換部および出力ドライバの構成を示す図である。図１２に示すように、電圧変換部２２３および出力ドライバ２２４は、ダイオード６４ａ〜６４ｄと、Ｓ／Ｃスイッチ６５ａ，６５ｂと、Ｄａｔａスイッチ６６ａ，６６ｂと、ＦＲスイッチ６７と、ＤＳＰＯＦスイッチ６８とを有する。
【００８８】
ＤＳＰＯＦスイッチ６８から出力する電圧は、各第１の電極のうち、予め定められた第１の電極に印加する。ここでは、Ｓ／Ｃスイッチ６５ａ，６５ｂ、Ｄａｔａスイッチ６６ａ，６６ｂ、ＦＲスイッチ６７およびＤＳＰＯＦスイッチ６８のみを示すが、各スイッチは、各第１の電極に対応する数だけ存在する。ダイオード６４ａ〜６４ｄは、電流を一方向に流す素子である。
【００８９】
Ｓ／Ｃスイッチ６５ａ，６５ｂは、コモンドライバまたはセグメントドライバを切り替えるスイッチである。セグメントドライバ２２０に含まれるＳ／Ｃスイッチ６５ａ，６５ｂは、上下のチャンネルのうち、下側のチャンネルに接続する。このＳ／Ｃスイッチ６５ａ，６５ｂは、切替信号により切り替えられる。
【００９０】
Ｄａｔａスイッチ６６ａ，６６ｂは、データ信号に応じて切り替わるスイッチである。データ信号が「１」の場合には、Ｄａｔａスイッチ６６ａ，６６ｂは、上側のチャンネルに接続する。データ信号が「０」の場合には、Ｄａｔａスイッチ６６ａ，６６ｂは、上側のチャンネルに接続する。ＤＳＰＯＦスイッチ６８の先に接続された第１の電極が、選択対象の第１の電極である場合には、データ信号は「１」となる。ＤＳＰＯＦスイッチ６８の先に接続された第１の電極が、非選択対象の第１の電極である場合には、データ信号は「０」となる。
【００９１】
ＦＲスイッチ６７は、パルス極性制御信号を取得し、取得したパルス極性制御信号に応じて切り替わるスイッチである。ＦＲスイッチ６７は、パルス極性制御信号が「１」の場合には、上側のチャンネルに接続する。ＦＲスイッチ６７は、パルス極性制御信号が「０」の場合には、下側のチャンネルに接続する。
【００９２】
ＤＳＰＯＦスイッチ６８は、強制オフ信号に応じて切り替わるスイッチである。例えば、強制オフ信号が「１」の場合には、ＤＳＰＯＦスイッチ６８は、上側のチャンネルに接続する。強制オフ信号が「０」の場合には、ＤＳＰＯＦスイッチ６８は、下側のチャンネルに接続する。ここで、強制オフ信号が「１」の場合には、第１の電極に対する電圧の印加を継続する。一方、強制オフ信号が「０」の場合には、第１の電極に対する電圧の印加を強制的に中断する。
【００９３】
なお、図３に示した電圧変換部２３３および出力ドライバ２３４の構成は、図１２に示した電圧変換部２２３および出力ドライバ２２４の構成と同様である。ただし、ＤＳＰＯＦスイッチ６８から出力する電圧は、各第２の電極のうち、予め定められた第２の電極に印加する。また、Ｄａｔａスイッチ６６ａ，６６ｂには、画像データが入力される。
【００９４】
次に、本実施例２にかかる表示装置２００の駆動タイミングについて説明する。図１３は、本実施例２にかかる表示装置２００の駆動タイミングを説明するための図である。図１３では一例として、第１の電極および第２の電極に、正極性の電圧と負極性の電圧を交互に印加する場合について説明する。
【００９５】
図１３において、パルス極性制御信号Ａは、セグメントドライバ２３０に入力するパルス極性制御信号である。パルス極性制御信号Ａは、正極性の電圧を印加する期間および負極性の電圧を印加する期間によらず、常に「１」となる。
【００９６】
データラッチ信号Ａは、セグメントドライバ２３０に入力し、一定の周期で一定の期間「１」、「０」となる信号である。データラッチ信号Ａが１から０に切り替わる時点で、セグメントドライバ２３０は、画像データをデータレジスタ２３１からラッチレジスタ２３２に移行する。また、データレジスタ２３１は、ドライバ制御回路２９０から出力される画像データを記憶する。
【００９７】
また、データラッチ信号Ａの値が１から０に切り替わる時点で、データレジスタ２３１は、ドライバ制御回路２９０から出力される画像データを記憶する。正極性の期間にデータレジスタ２３１が記憶する画像データは、反転された画像となる。負極性の期間にデータレジスタ２３１が記憶する画像データは、反転されていない画像データとなる。
【００９８】
パルス極性制御信号Ｂは、セグメントドライバ２２０に入力するパルス極性制御信号である。パルス極性制御信号Ｂは、正極性の電圧を印加する期間「０」となり、負極性の電圧を印加する期間「１」となる。
【００９９】
データラッチ信号Ｂは、セグメントドライバ２２０に入力し、一定の周期で一定の期間「１」、「０」となる信号である。データラッチ信号Ｂが１から０に切り替わる時点で、セグメントドライバ２２０は、ライン信号をデータレジスタ２２１からラッチレジスタ２２２に移行する。また、データレジスタ２２１は、ドライバ制御回路２９０から出力されるライン信号を記憶する。ライン信号は、各第１の電極のうち、選択対象の第１の電極を識別する信号である。
【０１００】
そして、図１３の下側に示すように、正極性の期間に、所定の交差領域の電圧を２４Ｖにする場合、第１の電極に印加する電圧は、０Ｖとなり、第２の電極に印加する電圧は２４Ｖとなる。負極性の期間に所定の交差領域の電圧を−２４Ｖにする場合には、第１の電極に印加する電圧は、３６Ｖとなり、第２の電極に印加する電圧は１２Ｖとなる。
【０１０１】
次に、図２に示したドライバ制御回路２９０が実行する処理の処理手順について説明する。図１４は、ドライバ制御回路２９０の処理手順を示すフローチャートである。図１４に示すように、ドライバ制御回路２９０は、制御回路２８０からライン信号および画像データを取得する（ステップＳ１０１）。
【０１０２】
ドライバ制御回路２９０は、パルス極性制御信号に基づいて、画像データを反転するか否かを判定する（ステップＳ１０２）。ドライバ制御回路２９０は、パルス極性制御信号を正極性にする場合には（ステップＳ１０３，Ｎｏ）、画像データを反転することなくステップＳ１０５に移行する。
【０１０３】
ドライバ制御回路２９０は、パルス極性制御信号を負極性にする場合には（ステップＳ１０３，Ｙｅｓ）、画像データを反転する（ステップＳ１０４）。そして、ドライバ制御回路２９０は、ライン信号、データ取込クロック、パルス極性制御信号、データラッチ信号、強制オフ信号を出力する（ステップＳ１０５）。
【０１０４】
上述してきたように、本実施例２にかかる表示装置２００は、汎用的なセグメントドライバ２２０を利用して、画像データに対応する１つ以上の第１の電極を選択し、選択対象・非選択対象の第１の電極にそれぞれ所定の電圧を印加する。また、ドライバ制御回路２９０が、パルス極性制御信号に応じて反転した画像データまたは反転していない画像データを、セグメントドライバ２３０に出力する。そして、セグメントドライバ２３０は、ドライバ制御回路２９０から取得した画像データを基にして、第２の電極に電圧を印加する。
【０１０５】
コモンドライバの代わりに汎用的なセグメントドライバ２２０を利用すると、極性を変化させた場合に、選択領域の電圧の関係が反転してしまう。実施例２にかかる表示装置２００は、画像データそのものを反転することで、選択領域の電圧の関係が反転した場合にでも、画像データを正確に表示することを可能にする。
【０１０６】
したがって、本実施例２にかかる表示装置２００は、汎用的なセグメントドライバを用いて複数の第１の電極を同時に選択するので、製造コストを抑えつつ、１つずつ第１の電極を選択する場合と比較して、画像の変化に迅速に対応することができる。
【０１０７】
また、本実施例２にかかる表示装置２００は、第１の電極および第２の電極に負極性の電圧を印加する場合に、画像データを反転する。したがって、正極性および負極性の電圧を交互に印加する場合でも、２つのセグメントドライバ２２０，２３０を用いて、画像データを正確に表示することができる。
【０１０８】
ところで、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、ドライバ制御回路２９０を、表示装置２００の外部の装置に設け、外部からドライバ制御回路２９０がセグメントドライバ２２０，２３０に各種の信号を出力してもよい。
【０１０９】
また、図２に示した本実施例にかかる表示装置２００の構成は、要旨を逸脱しない範囲で種々に変更することができる。例えば、ドライバ制御回路２９０の機能をソフトウェアとして実装し、これをコンピュータで実行することにより、ドライバ制御回路２９０と同等の機能を実現することもできる。
【０１１０】
次に、本実施例２にかかる表示装置２００の前提となった表示装置について説明する。図１５は、前提となる表示装置の構成を示す図である。図１５に示すように、この表示装置５０は、表示素子５１、コモンドライバ５２、セグメントドライバ５３、電源５４、昇圧部５５、多電圧生成部５６、クロック５７およびドライバ制御回路５８を有する。
【０１１１】
このうち、表示素子５１、セグメントドライバ５３、電源５４、昇圧部５５、クロック５７の説明は、図２に示した表示素子２１０、セグメントドライバ２３０、電源２４０、昇圧部２５０、クロック２７０の説明と同様である。
【０１１２】
コモンドライバ５２は、表示素子５１の各第１の電極に接続されており、ドライバ制御回路５８から出力される信号に基づいて、一つの第１の電極を選択する回路である。コモンドライバ５２は、選択対象となる第１の電極に所定の電圧を印加する。コモンドライバ５２は、選択対象以外の第１の電極に対して、選択対象の第１の電極とは異なる電圧を印加する。
【０１１３】
多電圧生成部５６は、昇圧部５５から出力される電圧から、複数種類の電圧を生成する回路である。多電圧生成部５６は、複数種類の電圧をコモンドライバ５２およびセグメントドライバ５３に出力する。クロック５７は、クロック信号をドライバ制御回路５８に出力する回路である。
【０１１４】
ドライバ制御回路５８は、各種の信号をコモンドライバ５２およびセグメントドライバ５３に出力することで、表示素子５１に印加する電圧を制御する回路である。具体的に、ドライバ制御回路５８は、フレーム開始信号、スキャンシフト信号、パルス極性制御信号および強制オフ信号をコモンドライバ５２に出力する。また、ドライバ制御回路５８は、データ取込クロック、データラッチ信号、パルス極性制御信号、強制オフ信号および画像データをセグメントドライバ５３に出力する。
【０１１５】
フレーム開始信号は、コモンドライバ５６に１段目の第１の電極を選択させる信号である。スキャンシフト信号は、選択対象となる第１の電極を切り替えるタイミングを通知する信号である。すなわち、コモンドライバ５６は、フレーム開始信号を取得した場合に、１段目の第１の電極を選択し、続いて、スキャンシフト信号を取得するたびに、選択対象の第１の電極を順番に切り替える。
【０１１６】
パルス極性制御信号は、正極性の電圧を印加するのか負極性の電圧を印加するのかを識別する信号である。正極性の電圧を印加する場合、ドライバ制御回路５８が出力するパルス極性は「１」となる。負極性の電圧を印加する場合、ドライバ制御回路５８が出力するパルス極性は「０」となる。
【０１１７】
強制オフ信号、データ取込クロック、データラッチ信号および画像データの説明は、上述した強制オフ信号、データ取込クロック、データラッチ信号および画像データと同様である。
【０１１８】
次に、図１５に示した従来のコモンドライバ５２の構成について説明する。図１６は、コモンドライバ５２の構成を示す図である。図１６に示すように、コモンドライバ５２は、シフトレジスタ６０、ラッチレジスタ６１、電圧変換部６２および出力ドライバ６３を有する。
【０１１９】
シフトレジスタ６０は、ドライバ制御回路５８から出力されるフレーム開始信号およびスキャンシフト信号を順次記憶する回路である。ドライバ制御回路５８は、フレーム開始信号を初めに一度出力し、その後、スキャンシフト信号を順次出力するものとする。シフトレジスタ６０は、ドライバ制御回路５８から信号を取得するたびに、それまで記憶していた信号を、新たに取得した信号で更新する。ラッチレジスタ６１は、シフトレジスタ６０に記憶された信号と同様の信号を記憶する回路である。
【０１２０】
ここでは、フレーム開始信号は、先頭のビットが「１」、残りのビットが「０」のビット列からなる信号とする。また、スキャンシフト信号は、「１または０」のビット列からなり、先頭のビットが「０」、残りのビットのいずれか一つが「１」となる。
【０１２１】
電圧変換部６２は、ラッチレジスタ６１に記憶された信号を基にして、表示素子５１の各第１の電極のうち、選択対象となる第１の電極を選択する回路である。電圧変換部６２は、ラッチレジスタ６１が記憶する信号のビット列を参照し、ビット列に含まれる１の位置を判定する。そして、１の位置に基づいて、電圧変換部６２は、選択対象となる第１の電極を選択する。例えば、先頭からｎ番目のビットが「１」の場合に、電圧変換部６２は、ｎ番目の第１の電極を選択対象とする。
【０１２２】
ところで、電圧変換部６２は、選択対象となる第１の電極と非選択対象となる第１の電極に対応した出力ドライバ６３の位置に、印加する電圧を通知する。なお、電圧変換部６２は、パルス極性制御信号に応じて、選択対象となる第１の電極と非選択対象となる第１の電極に印加する電圧の極性を正極性または負極性に切り替える。電圧変換部６２が出力ドライバ６３に通知する具体的な電圧の値は後述する。
【０１２３】
出力ドライバ６３は、表示素子５１の各第１の電極に接続し、電圧変換部６２から通知された情報により、各第１の電極に該当する電圧を印加する回路である。出力ドライバ６３が印加する電圧は、多電圧生成部５６から供給される。
【０１２４】
次に、図１５に示した従来のセグメントドライバ５３の構成について説明する。図１７は、セグメントドライ５３の構成を示す図である。図１７に示すように、セグメントドライバ５３は、データレジスタ７０、ラッチレジスタ７１、電圧変換部７２、出力ドライバ７３を有する。
【０１２５】
データレジスタ７０は、データ取込クロックに合わせて画像データを取得し、取得した画像データを記憶する回路である。データレジスタ７０は、画像データを新たに取得するたびに、自身の記憶する画像データを新たな画像データで更新する。
【０１２６】
ラッチレジスタ７１は、データラッチ信号を取得したタイミングにあわせて、データレジスタ７０に記憶された画像データを記憶する回路である。データラッチ信号を取得するたびに、ラッチレジスタ７１は、自身の記憶する画像データを、データレジスタ７２に記憶された画像データで更新する。
【０１２７】
電圧変換部７２は、ラッチレジスタ７１に記憶された画像データを基にして、各第２の電極に印加する電圧を出力ドライバに通知する回路である。画像データは、１または０の情報を、第２の電極の数だけ有しており、画像データのｎ番目の情報が、ｎ番目の第２の電極に対応している。電圧変換部７２は、ｎ番目の第２の電極に対応した出力ドライバ７３の位置に、画像データのｎ番目の情報に対応した電圧を通知する。なお、電圧変換部７２は、パルス極性制御信号に応じて、印加する電圧の極性を正極性または負極性に切り替える。電圧変換部７２が出力ドライバ７３に通知する具体的な電圧の値は後述する。
【０１２８】
出力ドライバ７３は、表示素子５１の各第２の電極に接続し、電圧変換部７２から通知された情報により、各第２の電極に該当する電圧を印加する回路である。出力ドライバ７３が印加する電圧は、多電圧生成部５６から供給される。
【０１２９】
次に、図１５に示した従来の多電圧生成部５６の構成について説明する。図１８は、多電圧生成部５６の構成を示す図である。図１８に示すように、この多電圧生成部５６は、抵抗５６ａ〜５６ｅと、増幅器５６ｆ〜５６ｊとを有する。多電圧生成部５６のリファレンス電圧は、昇圧部５５から出力される電圧に対応する。
【０１３０】
増幅器５６ｆは、抵抗５６ａを介してリファレンス電圧を取得し、取得した電圧を増幅して２４Ｖの電圧を出力する回路である。増幅器５６ｆが出力する電圧をＶ０とする。増幅器５６ｇは、抵抗５６ａ、５６ｂを介してリファレンス電圧を取得し、取得した電圧を増幅して１８Ｖの電圧を出力する回路である。増幅器５６ｇが出力する電圧をＶ２１Ｃとする。
【０１３１】
増幅器５６ｈは、抵抗５６ａ〜５６ｃを介してリファレンス電圧を取得し、取得した電圧を増幅して１２Ｖの電圧を出力する回路である。増幅器５６ｈが出力する電圧をＶ２１Ｓとする。増幅器５６ｉは、抵抗５６ａ〜５６ｃを介してリファレンス電圧を取得し、取得した電圧を増幅して１２Ｖの電圧を出力する回路である。増幅器５６ｉが出力する電圧をＶ３４Ｓとする。
【０１３２】
増幅器５６ｊは、抵抗５６ａ〜５６ｄを介してリファレンス電圧を取得し、取得した電圧を増幅して６Ｖの電圧を出力する回路である。増幅器５６ｊが出力する電圧をＶ３４Ｃとする。多電圧生成部５６は、電圧Ｖ０、Ｖ２１Ｃ、Ｖ２１Ｓ、Ｖ３４Ｓ、Ｖ３４Ｃを、コモンドライバ５２および５３に出力する。
【０１３３】
図１８において、Ｖ０≧Ｖ２１Ｃ≧Ｖ３４Ｃ≧０Ｖの関係を満たしている。また、Ｖ０≧Ｖ２１Ｓ≧Ｖ３４Ｓ≧０Ｖの関係を満たしている。
【０１３４】
次に、図１５に示した電圧変換部６２が出力ドライバ６３に通知する電圧について説明する。電圧変換部６２は、第１の電圧変換テーブルを保持する。電圧変換部６２は、かかる第１の電圧変換テーブルに対応させて、各第１の電極に印加する電圧を判定する。図１９は、第１の電圧変換テーブルのデータ構造の一例を示す図である。図１９に示すように、この第１の電圧変換テーブルは、データ信号と、ＦＲと、出力電圧とを対応付ける。
【０１３５】
このうち、データ信号は、選択対象の第１の電極か否かを識別する情報である。データ信号が「１」の場合には、選択対象の第１の電極であり、データ信号が「０」の場合には、非選択対象の第１の電極となる。
【０１３６】
ＦＲは、第１の電極に印加する電圧が正極性であるか負極性であるかを識別する情報である。ＦＲが「１」の場合には、第１の電極に正極性の電圧を印加し、ＦＲが「０」の場合には、第１の電極に負極性の電圧を印加する。
【０１３７】
出力電圧は、出力ドライバ６３から出力する電圧を識別する情報である。出力電圧Ｖ０、Ｖ２１Ｃ、Ｖ３４Ｃは、図１８に示した増幅器５６ｆ、５６ｇ、５６ｊから出力される電圧に対応する。具体的に、Ｖ０は２４Ｖ、Ｖ２１Ｃは１８Ｖ、Ｖ３４Ｃは６Ｖとなる。なお、出力電圧Ｖ５は、０Ｖとする。
【０１３８】
選択対象の第１の電極に正極性の電圧を印加する場合には、図１９において、データ信号「１」、ＦＲ「１」となり、この組合せに対応する出力電圧は「Ｖ５」となる。出力電圧Ｖ５は０Ｖに対応する。したがって、電圧変換部６２は、選択対象の第１の電極に印加する電圧を「０Ｖ」と判定し、判定結果を出力ドライバ６３に出力する。
【０１３９】
選択対象の第１の電極に負極性の電圧を印加する場合には、図１９において、データ信号「１」、ＦＲ「０」となり、この組合せに対応する出力電圧は「Ｖ０」となる。出力電圧Ｖ０は、２４Ｖに対応する。したがって、電圧変換部６２は、選択対象の第１の電極に印加する電圧を「２４Ｖ」と判定し、判定結果を出力ドライバ６３に出力する。
【０１４０】
非選択対象の第１の電極に正極性の電圧を印加する場合には、図１９において、データ信号「０」、ＦＲ「１」となり、この組合せに対応する出力電圧は「Ｖ２１Ｃ」となる。出力電圧Ｖ２１Ｃは、１８Ｖに対応する。したがって、電圧変換部６２は、非選択対象の第１の電極に印加する電圧を「１８Ｖ」と判定し、判定結果を出力ドライバ６３に出力する。
【０１４１】
非選択対象の第１のドライバに負極性の電圧を印加する場合には、図１９において、データ信号「０」、ＦＲ「０」となり、この組合せに対応する出力電圧は「Ｖ３４Ｃ」となる。出力電圧Ｖ３４Ｃは、６Ｖに対応する。したがって、電圧変換部６２は、非選択対象の第１の電極に印加する電圧を「６Ｖ」と判定し、判定結果を出力ドライバ６３に出力する。
【０１４２】
次に、セグメントドライバ５３の電圧変換部が出力ドライバ７３に通知する電圧について説明する。電圧変換部７２は、第２の電圧変換テーブルを保持する。電圧変換部７２は、かかる第２の電圧変換テーブルに対応させて、各第２の電極に印加する電圧を判定する。図２０は、第２の電圧変換テーブルのデータ構造の一例を示す図である。図２０に示すように、この第２の電圧変換テーブルは、データ信号と、ＦＲと、出力電圧とを対応付ける。
【０１４３】
このうち、データ信号は、画像データが含むビット列の各値に対応する。ＦＲは、第２の電極に印加する電圧が正極性であるか負極性であるかを識別する情報である。ＦＲが「１」の場合には、第２の電極に正極性の電圧を印加し、ＦＲが「０」の場合には、第２の電極に負極性の電圧を印加する。
【０１４４】
出力電圧は、出力ドライバ７３から出力する電圧を識別する情報である。出力電圧Ｖ０、Ｖ２１Ｓ、Ｖ３４Ｓは、図１８に示した増幅器５６ｆ、５６ｈ、５６ｉから出力される電圧に対応する。具体的に、Ｖ０は２４Ｖ、Ｖ２１Ｓは１２Ｖ、Ｖ３４Ｓは１２Ｖとなる。なお、出力電圧Ｖ５は、０Ｖとする。
【０１４５】
以下において、ｎ番目の第２の電極に印加する電圧を判定する場合について説明する。画像データのｎ番目のビットが「１」で、正極性の電圧を印加する場合には、図２０において、データ信号「１」、ＦＲ「１」となる。この組合せに対応する出力電圧は「Ｖ０」となる。出力電圧Ｖ０は、２４Ｖに対応する。電圧変換部７２は、ｎ番目の第２の電極に印加する電圧を「２４Ｖ」と判定し、判定結果を出力ドライバ７３に出力する。
【０１４６】
画像データのｎ番目のビットが「１」で、負極性の電圧を印加する場合には、図２０において、データ信号「１」、ＦＲ「０」となる。この組合せに対応する出力電圧は「Ｖ５」となる。出力電圧Ｖ５は、０Ｖに対応する。電圧変換部７２は、ｎ番目の第２の電極に印加する電圧を「０Ｖ」と判定し、判定結果を出力ドライバ７３に出力する。
【０１４７】
画像データのｎ番目のビットが「０」で、正極性の電圧を印加する場合には、図２０において、データ信号「０」、ＦＲ「１」となる。この組合せに対応する出力電圧は「Ｖ２１Ｓ」となる。出力電圧Ｖ２１Ｓは、１２Ｖに対応する。電圧変換部７２は、ｎ番目の第２の電極に印加する電圧を「１２Ｖ」と判定し、判定結果を出力ドライバ７３に出力する。
【０１４８】
画像データのｎ番目のビットが「０」で、負極性の電圧を印加する場合には、図２０において、データ信号「０」、ＦＲ「０」となる。この組合せに対応する出力電圧は「Ｖ３４Ｓ」に対応する。出力電圧Ｖ３４Ｓは、１２Ｖに対応する。電圧変換部７２は、ｎ番目の第２の電極に印加する電圧を「１２Ｖ」と判定し、判定結果を出力ドライバ７３に出力する。
【０１４９】
次に、コモンドライバ５２およびセグメントドライバ５３から出力する電圧の波形について説明する。図２１は、各ドライバが出力する電圧の波形を示す図である。図２１の左側は、各ドライバから出力する正極性の電圧の波形を示す。図２１の左上に示すように、セグメントドライバ５３は、１２Ｖまたは２４Ｖの電圧を第２の電極に出力する。また、図２１の左下に示すように、コモンドライバ５２は、１８Ｖまたは０Ｖの電圧を第１の電極に出力する。
【０１５０】
図２１の右側は、各ドライバから出力する負極性の電圧の波形を示す。図２１の右上に示すように、セグメントドライバ５３は、１２Ｖまたは０Ｖの電圧を第２の電極に出力する。また、図２１の右下に示すように、コモンドライバ５２は、６Ｖまたは２４Ｖの電圧を第１の電極に出力する。
【０１５１】
ここで、表示素子５１には、各第１の電極と各第２の電極とが交差する領域毎に、電圧が印加される。以下において、第１の電極と第２の電極とが交差する領域を交差領域と表記する。図２２は、表示素子５１に印加される電圧を説明するための図である。
【０１５２】
図２２において、コモンドライバ５２が「ＯＮ」となる第１の電極は、選択対象の第１の電極となる。コモンドライバ５２が「ＯＦＦ」となる第１の電極は、非選択対象の第１の電極となる。セグメントドライバ５３が「ＯＮ」となる第２の電極は、画像データの「１」に対応した電極となる。セグメントドライバ５３が「ＯＦＦ」となる第２の電極は、画像データの「０」に対応した電極となる。
【０１５３】
図２２に示すように、コモンドライバＯＮ／ＯＦＦ、セグメントドライバＯＮ／ＯＦＦ、正極性、負極性の組合せによって、交差領域には、−２４Ｖ、−１２Ｖ、−６Ｖ、６Ｖ、１２Ｖ、２４Ｖの何れかの電圧が印加される。
【０１５４】
具体的に、コモンドライバがＯＮ、セグメントドライバＯＮの場合に、正極性の電圧を印加する際、第１の電極に２４Ｖ、第２の電極に０Ｖが印加される。この結果、交差領域には２４Ｖの電圧が印加される。
【０１５５】
コモンドライバがＯＮ、セグメントドライバＯＮの場合に、負極性の電圧を印加する際、第１の電極に０Ｖ、第２の電極に２４Ｖが印加される。この結果、交差領域には−２４Ｖの電圧が印加される。
【０１５６】
コモンドライバがＯＮ、セグメントドライバＯＦＦの場合に、正極性の電圧を印加する際、第１の電極に０Ｖ、第２の電極に１２Ｖが印加される。この結果、交差領域には１２Ｖの電圧が印加される。
【０１５７】
コモンドライバがＯＮ、セグメントドライバＯＦＦの場合に、負極性の電圧を印加する際、第１の電極に２４Ｖ、第２の電極に１２Ｖが印加される。この結果、交差領域には−１２Ｖの電圧が印加される。
【０１５８】
コモンドライバがＯＦＦ、セグメントドライバＯＮの場合に、正極性の電圧を印加する際、第１の電極に１８Ｖ、第２の電極に２４Ｖの電圧が印加される。この結果、交差領域には６Ｖの電圧が印加される。
【０１５９】
コモンドライバがＯＦＦ、セグメントドライバＯＮの場合に、負極性の電圧を印加する際、第１の電極に６Ｖ、第２の電極に０Ｖの電圧が印加される。この結果、交差領域には−６Ｖの電圧が印加される。
【０１６０】
コモンドライバがＯＦＦ、セグメントドライバＯＦＦの場合に、正極性の電圧を印加する際、第１の電極に１８Ｖ、第２の電極に１２Ｖの電圧が印加される。この結果、交差領域には−６Ｖの電圧が印加される。
【０１６１】
コモンドライバがＯＦＦ、セグメントドライバＯＦＦの場合に、負極性の電圧を印加する際、第１の電極に６Ｖ、第２の電極に１２Ｖの電圧が印加される。この結果、交差領域には６Ｖの電圧が印加される。
【０１６２】
表示素子５１に印加される電圧の分布は、正極性および負極性を問わず、図１０に示した電圧の分布と等しくなる。
【０１６３】
表示装置５０のコモンドライバ５２は、第１の電極を一つずつ順に選択することしかできず、セグメントドライ２００のように複数の第１の電極を選択できない。したがって、表示装置２００は、表示装置５０よりも迅速に画像の変化に対応することができる。また、表示装置５０のコモンドライバ５２と、表示装置２００のセグメントドライバ２２０は同種のドライバであるため、表示装置５０とかわらないコストで表示装置２００を製造することができる。
【符号の説明】
【０１６４】
１００    パネルモジュール
１１０，２１０    表示素子
１３０    第１の印加部
１２０    反転部
１４０    第２の印加部
２００    表示装置
２２０，２３０    セグメントドライバ
２４０    電源
２５０    昇圧部
２６０    多電圧生成部
２７０    クロック
２８０    制御回路
２９０    ドライバ制御回路
【図１】
2011075680.tif 000003
【図２】
2011075680.tif 000004
【図３】
2011075680.tif 000005
【図４】
2011075680.tif 000006
【図５】
2011075680.tif 000007
【図６】
2011075680.tif 000008
【図７】
2011075680.tif 000009
【図８】
2011075680.tif 000010
【図９】
2011075680.tif 000011
【図１０】
2011075680.tif 000012
【図１１】
2011075680.tif 000013
【図１２】
2011075680.tif 000014
【図１３】
2011075680.tif 000015
【図１４】
2011075680.tif 000016
【図１５】
2011075680.tif 000017
【図１６】
2011075680.tif 000018
【図１７】
2011075680.tif 000019
【図１８】
2011075680.tif 000020
【図１９】
2011075680.tif 000021
【図２０】
2011075680.tif 000022
【図２１】
2011075680.tif 000023
【図２２】
2011075680.tif 000024
【図２３】
2011075680.tif 000025
【図２４】
2011075680.tif 000026
【図２５】
2011075680.tif 000027
【図２６】
2011075680.tif 000028